(57)【特許請求の範囲】
【請求項１】
建築物の開口部に開閉自在に設けられる開閉部材の開放または閉鎖を検知して、第２エア弁への圧縮エアの遮断または供給を制御する第１エア弁を備えた検知部と、前記第１エア弁から第２管路を介して圧縮エアが供給または遮断される第２エア弁と、前記第１エア弁から該第２エア弁への圧縮エアの供給または遮断により、第２エア弁においてエア供給部からの圧縮エアが供給または遮断され、これにより鳴動が制御されるエアホーンとを備えた制御部と、前記検知部および制御部に第１管路を介して圧縮エアを供給するエア供給部とを備えたことを特徴とする警報装置。
【請求項２】
前記制御部は、前記第２エア弁からの圧縮エアをパイロット圧として前記エアホーンの鳴動を制御する第３エア弁を更に備えることを特徴とする請求項１に記載の警報装置。
【請求項３】
前記エア供給部は、エアタンクと、その下流側に設けられる手動遮断弁と、更にその下流側に設けられる加圧表示部とを備えることを特徴とする請求項１に記載の警報装置。
【請求項４】
前記制御部は、前記第２エア弁の下流側に加圧表示部と手動遮断弁を備えることを特徴とする請求項１に記載の警報装置。
【請求項５】
前記第１・第２管路が、建築物の壁面に埋設固定されることを特徴とする請求項１に記載の警報装置。
【発明の詳細な説明】
【技術分野】
【０００１】
本発明は、電力を全く使用することなく、圧縮エアのみを使用して盗犯者等の不正侵入者の一般住宅、あるいは店舗や倉庫などの建築物への侵入防止および防犯を目的とする警報装置に関するものである。
【背景技術】
【０００２】
従来、下記特許文献１に開示されているように、一般住宅、あるいは建築物の開口部に取り付けられたドア、窓、シャッター等の開閉部材と前記開口部とに磁気センサーを設置し、該開口部を不正侵入者が不正にこじ開けて侵入した場合、前記開閉部材が開放されたことを磁気センサーが検知して、居住者のみならず周囲の人にも聴えるような高音の警報を発して、音響により不正侵入者を威嚇して撃退したり、あるいは警報を発すると同時に警備会社に不正侵入者の侵入を報知する警報装置が汎用されている。
【先行技術文献】
【特許文献】
【０００３】
【特許文献１】特開２００３−２２３６８４号公報
【発明の概要】
【発明が解決しようとする課題】
【０００４】
しかしながら、前記従来汎用されている警報装置は、電力により作動するものであるため、不正侵入者が電力供給を断った場合には、該警報装置が全く作動せず、セキュリティの目的を達成することができないという課題があった。また、不正侵入者が電力供給を断たなくても、磁気センサーが設置されていない壁面を破壊して侵入した場合、磁気センサーは全く侵入を検知することができず、セキュリティの目的を達成することができないという課題があった。
【０００５】
本発明は前記従来の課題を解決すべくなされたものであって、従来汎用されている警報装置のように、作動に全く電力を必要とせず、圧縮エアのみにより作動する警報装置を提供することを目的とする。
【課題を解決するための手段】
【０００６】
本発明は、前記課題を解決すべくなされたもので、建築物の開口部に開閉自在に設けられる開閉部材の開放または閉鎖を検知して、第２エア弁への圧縮エアの遮断または供給を制御する第１エア弁を備えた検知部と、前記第１エア弁から第２管路を介して圧縮エアが供給または遮断される第２エア弁と、前記第１エア弁から該第２エア弁への圧縮エアの供給または遮断により、第２エア弁においてエア供給部からの圧縮エアが供給または遮断され、これにより鳴動が制御されるエアホーンとを備えた制御部と、前記検知部および制御部に第１管路を介して圧縮エアを供給するエア供給部とを備えるという手段を採用することにより、上記課題を解決した。
【０００７】
本発明警報装置によれば、電力を全く使用することなく、圧縮エアのみを使用することにより、電線を切断されても、あるいは停電時でも警報装置は作動して、盗犯者等の不正侵入者の一般住宅、あるいは店舗や倉庫などの建築物への侵入防止および防犯を充分に図ることができるので、セキュリティ設備として極めて優れている。また、本発明警報装置によれば、不正侵入者が開閉部材をこじ開けることなく、壁面を破壊して管路を破断することによっても、エアホーンが鳴動するので、防犯効果は従来の警報装置に比べて極めて大きいものである。更に、本発明警報装置によれば、電力を全く使用することがないので、防爆施設においても使用できると共に、水に濡れるような場所においても使用できる等、極めて優れた効果を奏するものである。
【図面の簡単な説明】
【０００８】
【図１】本発明に係る警報装置を一般住宅に取付けけた例を示す概略構成図である。
【図２】本発明の第１実施形態に係る警報装置においてセキュリティロックが設定された状態を示す概略断面図である。
【図３】本発明の第１実施形態に係る警報装置において不正侵入者の侵入を検知した状態を示す概略断面図である。
【図４】本発明の第１実施形態に係る警報装置を設置した壁面が、不正侵入者に破壊され管路が切断された状態を示す概略断面図である。
【図５】本発明の第２実施形態に係る警報装置においてセキュリティロックが設定された状態を示す概略断面図である。
【図６】本発明の第２実施形態に係る警報装置において不正侵入者の侵入を検知した状態を示す概略図である。
【図７】本発明の第３実施形態に係る警報装置において不正侵入者の侵入を検知した状態を示す概略断面図である。
【図８】本発明の第３実施形態に係る警報装置において警報動作を解除した状態を示す概略断面図である。
【図９】本発明に係る警報装置に適用される加圧表示部において、圧縮エアがエア圧回路に未供給状態を示す断面図である。
【図１０】本発明に係る警報装置に適用される加圧表示部において、圧縮エアがエア圧回路に供給状態を示す断面図である。
【発明を実施するための形態】
【０００９】
本発明の実施例を添付図面に基づいて説明するが、図１は、本発明警報装置の基本構成を示す全体の概略構成図であって、一般住宅に取付けけた例を示している。すなわち、本発明の警報装置１は、一般住宅、あるいは建築物の開口部に開閉自在に設けられるドア、窓、シャッター等の開閉部材Ｓの開放または閉鎖を検知する検知部１０と、前記検知部１０による開閉部材Ｓの開放または閉鎖を検知してエアホーン９の鳴動を制御する制御部２０、並びに前記検知部１０および制御部２０に圧縮エアを供給するエア供給部３０とを備えると共に、前記エア供給部３０と検知部１０および制御部２０とは、第１管路６・第２管路７により接続されて形成されている。
【第１実施形態】
【００１０】
本発明の第１実施形態に係る警報装置１は、図２および図３に示すように一般住宅あるいは建築物のドア、窓、シャッター等の開口部に開閉自在に設けられる開閉部材の開放または閉鎖を検知して、第２エア弁２１への圧縮エアの遮断または供給を制御する第１エア弁１１を備えた検知部１０と、前記第１エア弁１１から第２管路７を介して圧縮エアが供給または遮断される第２エア弁２１と、前記第１エア弁１１から該第２エア弁２１への圧縮エアの供給または遮断により、第２エア弁２１において前記エアタンク４からの圧縮エアが供給または遮断され、これにより鳴動が制御されるエアホーン９とを備えた制御部２０と、前記検知部１０および制御部２０に圧縮エアを供給するエア供給部３０とを備えて形成されている。
【００１１】
前記検知部１０および制御部２０に圧縮エアを供給するエア供給部３０は、本発明装置の起動部であり、圧縮エアの供給源であるエアコンプレッサ２と該検知部１０および制御部２０とを接続する第１管路６の途中には、元圧遮断弁５０と加圧表示部７０（図９参照）とが接続されると共に、前記元圧遮断弁５０の上流側には、前記エアコンプレッサ２にエアの逆流を防止する逆止弁３を備えてエアタンク４が接続されて形成されている。なお、前記第１管路６は、途中で分岐し、検知部１０および制御部２０に圧縮エアをそれぞれ供給する。
【００１２】
前記第１管路６は、好ましくは前記加圧表示部７０の下流側から検知部１０および制御部２０に至るまでは、コンクリートやＡＬＣより成る壁面Ｗに埋設固定されることが推奨される。前記元圧遮断弁５０は、手動レバー５１の動きに連動して変位する弁体５２が設けられており、図２に示すように、手動レバー５１が開放状態（ＯＮ）にあるときは、該元圧遮断弁５０の給圧ポートＰに供給されるエアタンク４からの圧縮エアが出力ポートＡに伝達され、前記検知部１０および制御部２０に圧縮エアが供給される。
【００１３】
一方、図２の下側において枠で囲んで図示するように、元圧遮断弁５０の手動レバー５１が閉止状態（ＯＦＦ）にあるときは、給圧ポートＰに供給される圧縮エアが遮断され、該圧縮エアは出力ポートＡに伝達されず、前記検知部１０および制御部２０への圧縮エアの供給が遮断される。
【００１４】
前記元圧遮断弁５０のＯＮ／ＯＦＦ動作に対応して、第１管路６に圧縮エアが供給された場合と未供給の場合とが、加圧表示部７０で目視判断により識別できるようになっている。前記加圧表示部７０は、特に限定する必要はないが、好ましくは色の変化によって圧縮エアの供給および未供給の状況を識別確認する構成とすることが推奨される。その具体例については後述する。
【００１５】
本発明警報装置を設置した店舗や倉庫等において、夜間等の無人状態になるときに、元圧遮断弁５０の手動レバー５１を開放状態（ＯＮ）にしてセキュリティロックを設定する。一方、昼間等店舗や倉庫等において従業員等の活動時間帯になるときに、前記手動レバー５１を閉止状態（ＯＦＦ）にしてセキュリティロックを解除する。従って、前記のようにセキュリティロックを解除すれば、図３の下側において枠で囲んで図示するように、元圧遮断弁５０の手動レバー５１が閉止状態（ＯＦＦ）にあるときは、給圧ポートＰに供給される圧縮エアが遮断され、前記検知部１０および制御部２０への圧縮エアの供給が遮断され、開閉部材Ｓを開放してもエアホーン９は鳴動しない。
【００１６】
前記検知部１０は、ドア、窓、シャッター等の開閉部材Ｓが、壁面Ｗにおいて、閉鎖時に当接する枠部材Ｆの開口部端面に第１エア弁１１を設置して形成されている。前記検知部１０は、１個または複数個の第１エア弁１１を前記枠部材Ｆの開口部端面に設置して形成され（図２においては複数個の第１エア弁１１が設置された状態が図示されている）、前記第１エア弁１１が設置されている開閉部材Ｓが開放状態になった場合、該第１エア弁１１から制御部２０を構成する第２エア弁２１への圧縮エアの供給が遮断される。
【００１７】
前記枠部材Ｆに設置された第１エア弁１１は、前記開閉部材Ｓの開閉動作に応じて押しばね等により縮重または弾発する付勢部材１４により変位するよう、該第１エア弁１１外へ突設されて、前記枠部材Ｆの開口部端面に当接する当接片１２と、該当接片１２に連動して変位する弁体１３とを備えて構成されている。
【００１８】
図２に示すように、開閉部材Ｓが閉鎖状態で、且つ前記当接片１２が前記枠部材Ｆの開口部端面に当接して付勢部材１４が縮重されているときは、前記エア供給部３０から第１管路６を経て、前記第１エア弁１１の給圧ポートＰから該第１エア弁１１内に供給された圧縮エアは、前記給圧ポートＰと連通状態となっている出力ポートＡに伝達され、該出力ポートＡから第２管路７を経て第２エア弁２１に供給される。
【００１９】
一方、図３に示すように、開閉部材Ｓが開放状態にあるときは、前記第１エア弁１１の給圧ポートＰが閉鎖されて、該給圧ポートＰに供給される圧縮エアが遮断されるので、出力ポートＡ側の残圧が排気ポートＲから排気されると共に、第２エア弁２１への圧縮エアの第２管路７を介しての供給が遮断される。
【００２０】
前記制御部２０は、前記検知部１０を構成する第１エア弁１１から供給または遮断される圧縮エアによって切替え動作をする第２エア弁２１を設置して形成されている。前記第２エア弁２１は、前記検知部１０を構成する第１エア弁１１から供給または遮断される圧縮エアによって、縮重または弾発する付勢部材２３により変位する弁体２２を備えている。
【００２１】
図２に示すように、開閉部材Ｓが閉鎖状態にあるときは、第１エア弁１１の出力ポートＡから第２エア弁２１の入力ポートＢに圧縮エアが供給されると共に、該第２エア弁２１の入力ポートＢから第２エア弁２１内に圧縮エアが供給されると、弁体２２が付勢部材２３に抗して下方へ押圧される。この時、給圧ポートＰが下降した弁体２２によって閉鎖されているので、前記エア供給部３０からの第１管路６を介しての圧縮エアの供給が遮断され、出力ポートＡに接続されているエアホーン９へは圧縮エアが供給されてないので、該エアホーン９は鳴動することはない。
【００２２】
一方、図３に示すように、開閉部材Ｓが開放状態にあるときは、第１エア弁１１の弁体１３が給圧ポートＰを遮断するので、該第１エア弁１１の出力ポートＡから第２管路７を介して、前記第２エア弁２１を作動させる作用をするパイロット圧としての入力ポートＢへの圧縮エアの供給が遮断されると、弁体２２が付勢部材２３の弾発力により上昇して、給圧ポートＰを開放して、前記エア供給部３０からの第１管路６を介して圧縮エアが該第２エア弁２１内に供給されると共に、該給圧ポートＰと連通する出力ポートＡから圧縮エアがエアホーン９に送気され、該エアホーン９を鳴動させる。なお、前記エアホーン９の鳴動は、エア給供部３０から圧縮エアの供給を遮断しない限り、該エアホーン９は鳴動し続ける。
【００２３】
なお、図示を省略するが、検知部１０を構成する第１エア弁１１が複数個の場合、エアコンプレッサ２側に連結する第１管路６および第２エア弁２１側に連結する第２管路７に対して、前記各第１エア弁１１は、それぞれ直列または並列に接続される。
【００２４】
前記第１エア弁１１を複数個直列接続する場合は、エアコンプレッサ２側の第１管路６は、検知部１０の始端に位置する第１エア弁１１の給圧ポートＰに接続し、終端に位置する第１エア弁１１の出力ポートＡは第２エア弁２１側の第２管路７に接続される。そして、始端と終端の間に配置される第１エア弁１１は、それぞれ互いに隣接する第１エア弁１１同士の出力ポートＡと給圧ポートＰとが接続されることになる。
【００２５】
一方、第１エア弁１１が複数個並列接続の場合は、複数の第１エア弁１１の給圧ポートＰは、エアコンプレッサ側の第１管路６にそれぞれ別々に接続されると共に、前記各第１エア弁１１の出力ポートＡは、第２エア弁２１側の第２管路７にそれぞれ別々に接続される。
【００２６】
次に、図２および図３を参照して、実施例１の警報装置１の作用について説明する。先ず、セキュリティロックを設定するに際し、開閉部材Ｓが全て閉鎖状態になっていることを確認すると共に、エアコンプレッサ２を動作させてエアタンク４にエアが充填されたことを確認した上で、エア供給部３０の元圧遮断弁５０をＯＮにする。このとき、エア回路にエア圧が供給されたことを目視にて加圧表示部７０で確認し、セキュリティロックの設定を完了する（図２）。
【００２７】
前記セキュリティロックが設定されると、エアタンク４からの圧縮エアは、図２において多数のドットで表示されているように、元圧遮断弁５０、加圧表示部７０、第1管路６・第２管路７、第１エア弁１１を経て第２エア弁２１に供給される。前記第２エア弁２１の入力ポートＢから該第２エア弁２１内に圧縮エアが供給されると、弁体２２が付勢部材２３に抗して下方へ押圧されて下降し、給圧ポートＰが下降した弁体２２によって閉鎖されているので、前記エア供給部３０からの第１管路６を介しての圧縮エアの供給が遮断され、出力ポートＡに接続されているエアホーン９へは圧縮エアが供給されず、該エアホーン９は鳴動することはない。すなわち、この状態とすることにより、セキュリティロックの設定が完了することになる。
【００２８】
なお、以下、本第１実施形態の外、各実施形態を示す図面において、各管路および各エア弁に多数のドットが表示されている場合には圧縮エアが供給されていることを示し、多数のドットの表示がない場合には圧縮エアが供給されていないことを示す。
【００２９】
前記図２に示すセキュリティロック設定の完了後、外部から不正侵入者が開閉部材Ｓをこじ開けて侵入を試みた場合、図３に示すように、前記開閉部材Ｓが開放されることにより、検知部１０を構成する第１エア弁１１の弁体１３と一体の当接片１２が付勢部材１４の弾発力により上昇すると共に、該弁体１３が給圧ポートＰを閉鎖して、該給圧ポートＰに供給される圧縮エアが遮断されることにより、出力ポートＡ側の残圧が排気ポートＲから排気され、第２エア弁２１への圧縮エアの供給が遮断される。
【００３０】
そして、前記第２エア弁２１への圧縮エアの供給が遮断された結果、該第２エア弁２１の弁体２２が付勢部材２３の弾発力により上昇して、給圧ポートＰを開放して、前記エア供給部３０からの第１管路６を介して圧縮エアが該第２エア弁２１内に供給されると共に、該給圧ポートＰと連通する出力ポートＡから圧縮エアがエアホーン９に給気され、エアホーン９を鳴動させて、該エアホーン９の鳴動が継続することにより、周囲に不正侵入者の存在を知らしめると共に、不正侵入者を威嚇して逃走させ、犯罪の発生を未然に防ぐことができる。なお、前記エアホーン９はエアタンク４に圧縮エアがある限り鳴動を続けるが、元圧遮断弁５０をＯＦＦにすることによって、エアホーン９の鳴動を停止させることができる。
【００３１】
図４は、本発明の第１実施形態に係る警報装置を設置した壁面が、不正侵入者に破壊され管路が切断された状態を示している。不正侵入者は、汎用されている従来型の開口部に設置されている警報装置を作動させないようにするために、磁気センサー等のセンサー部材が設置されている開口部には全く手を付けず、警報装置が設置されていない壁面の破壊行動を行う場合がある。この場合、本発明警報装置１は壁面Ｗに第１管路６・第２管路７を埋設固定することにより対応することができる。
【００３２】
すなわち、不正侵入者が壁面Ｗの破壊行為におよんで、第１管路６・第２管路７を切断してしまった場合(図３は第１管路６が切断されている)は、第１エア弁１１の弁体１２は上昇しないが、該第１エア弁１１の給圧ポートＰへの圧縮エアの供給が停止されると共に、第２エア弁２１への圧縮エアの供給も停止されてしまい、該第２エア弁２１側に接続する第２管路７の残圧が排除されてしまうので、前記図３に示す開閉部材Ｓの開放状態と同一状態となり、エアホーン９が鳴動する。
【００３３】
以上説明した第１実施形態において、第２エア弁２１は必須の構成要素ではなく、第１エア弁１１の出力ポートＡ側をエアホーン９に直結する場合も取り得る。この場合、第１エア弁１１は開閉部材Ｓが閉鎖状態にあるときは、給圧ポートＰに供給される圧縮エアが遮断され、且つ該開閉部材Ｓが開放状態にあるときは、給圧ポートＰに供給される圧縮エアが出力ポートＡに伝達されるように仕様を変更する必要がある。
【第２実施形態】
【００３４】
図５は、本発明の第２実施形態に係る警報装置において、セキュリティロックが設定された状態を示している。また、図６は、第２実施形態２に係る警報装置１において、不正侵入者の侵入を検知した状態を示している。なお、図５および図６において、図２および図３と同一の部分は、同一の符号を使用し、詳細な説明を省略する。
【００３５】
第２実施形態に係る警報装置１は、その制御部２０が前記第１実施形態における第２エア弁と同一構成の第２エア弁２１から供給される圧縮エアの供給および遮断をする第３エア弁３１が、前記第２エア弁２１の下流側に接続されると共に、エア供給部３０とも接続されて形成されている。すなわち、第２エア弁２１の出力ポートＡから延びる第３管路８に、第３エア弁３１のパイロット圧としての圧縮エアを供給する入力ポートＢが接続されている。そして、エアホーン９は、前記第３エア弁３１を介して圧縮エアが前記エア供給部３０から供給されて鳴動する。
【００３６】
前記第３エア弁３１は、前記第２エア弁２１からのパイロット圧としての圧縮エアが、入力ポートＢに供給または遮断されることによって縮重または弾発する付勢部材３３によって変位する弁体３２を備えている。そして、図５に示すように、開閉部材Ｓが閉鎖状態にあるときは、第１エア弁１１の出力ポートＡから第２エア弁２１の入力ポートＢに圧縮エアが供給されると、弁体２２が付勢部材２３に抗して下方へ押圧される。
【００３７】
この時、前記第２エア弁２１の給圧ポートＰが下降した弁体２２によって閉鎖されているので、前記エア供給部３０からの第１管路６を介しての圧縮エアの供給が遮断され、出力ポートＡに第３管路８を介して接続されている第３エア弁３１の入力ポートＢへパイロット圧としての圧縮エアは供給されない。その結果、前記第３エア弁３１の弁体３２は付勢部材３３の弾発力で上昇して、給圧ポートＰが閉鎖されているので、前記エア供給部３０からの圧縮エアが遮断され、エアホーン９へは圧縮エアが供給されず、該エアホーン９は鳴動することはない。
【００３８】
一方、図６に示すように、開閉部材Ｓが開放状態にあるときは、第１エア弁１１の弁体１３が給圧ポートＰを遮断するので、該第１エア弁１１の出力ポートＡから第２管路７を介しての第２エア弁２１の入力ポートＢへの圧縮エアの供給が遮断されて、弁体２２が付勢部材２３の弾発力により上昇して、給圧ポートＰを開放して、前記エア供給部３０からの第１管路６を介しての圧縮エアが該第２エア弁２１内に供給されると共に、該給圧ポートＰと連通する出力ポートＡからパイロット圧としての圧縮エアが、該出力ポートＡに第３管路８を介して接続されている第３エア弁３１の入力ポートＢから該第３エア弁３１内へ供給される。その結果、前記第３エア弁３１の弁体３２は付勢部材３３に抗して下降し、給圧ポートＰが開放されるので、前記エア供給部３０からの圧縮エアが供給されて、出力ポートＡから圧縮エアがエアホーン９に給気され、該エアホーン９を鳴動させる。
【第３実施形態】
【００３９】
図７は、本発明の第３実施形態に係る警報装置１において、不正侵入者の侵入を検知した状態を示している。また、図８は、第３実施形態に係る警報装置１において警報動作を解除した状態を示している。なお、図７および図８において、図５および図６と同一の部分は、同一の符号を使用し、詳細な説明を省略する。
【００４０】
第３実施形態に係る警報装置１は、その制御部２０が、前記第２実施形態における第２エア弁２１と第３エア弁３１とを接続する第３管路８の経路において、該第２エア弁２１の下流側に手動遮断弁６０を、また該手動遮断弁６０の上流側に加圧表示部７０ｂをそれぞれ設置して形成されている。なお、図７および図８においては、手動遮断弁６０と加圧表示部７０とを設置することにより、図５および図６における「第３管路８」が分割されるため、「第３管路８ａ・８ｂ」と符号を変更すると共に、「加圧表示部７０」も２個使用するため、「加圧表示部７０ａ・７０ｂ」と符号を変更使用した。
【００４１】
前記手動遮断弁６０は、手動レバー６１の動きに連動して変位する弁体６２が設けられている。図７に示すように、手動レバー６１が開放状態にあるときは、該手動遮断弁６０の給圧ポートＰに供給される圧縮エアが出力ポートＡに伝達され、更に該出力ポートＡから管路８ｂを介して第３エア弁３１の給圧ポートＢに、パイロット圧としての圧縮エアが供給される。
【００４２】
そして、図７に示すように、開閉部材Ｓが開放状態にあるときは、第１エア弁１１の給圧ポートＰが遮断されて、出力ポートＡから第２エア弁２１の入力ポートＢに圧縮エアが供給されず、排気ポートＲから残圧が排気されて、該第２エア弁２１の弁体２２が付勢部材２３の弾発力により上昇して給圧ポートＰを開放して、出力ポートＡから第３管路８ａを介して手動遮断弁６０の給圧ポートＰから圧縮エアが供給され、更に出力ポートＡから第３管路８ｂを介して第３エア弁３１の入力ポートＢから該第３エア弁３１内に供給される。
【００４３】
前記第３エア弁３１の入力ポートＢから第３エア弁３内に圧縮エアが供給されると、弁体３２が付勢部材３３に抗して下方へ押圧される。この時、前記第３エア弁３１の給圧ポートＰが下降した弁体３２によって開放されているので、前記エア供給部３０からの第１管路６を介しての圧縮エアが給圧ポートＰから供給されて、出力ポートＡからエアホーン９へ給気されて、該エアホーン９が鳴動する。
【００４４】
一方、図８に示すように、手動レバー６１が閉止状態にあるときは、弁体６２が下降して手動遮断弁６０の給圧ポートＰが閉鎖されるため、前記第２エア弁２１からの圧縮エアは遮断され、排気ポートＲから残圧が排気されて、前記第３エア弁３１の入力ポートＢへは圧縮エアは供給されない。その結果、第３エア弁３１の付勢部材３３が弾発して弁体３２を上昇させて、給圧ポートＰが閉鎖されるので、エア供給部３０からの圧縮エアが供給されず、エアホーン９が鳴動することはない。
【００４５】
前記第３実施形態によれば、元圧遮断弁５０をＯＮにしても、手動遮断弁６０をＯＦＦにしておけば、エアホーン９を鳴動させたくない活動時間帯において停止させることができると共に、警報装置１の動作確認や開閉部材Ｓの開閉状態の認識を、加圧表示部７０ｂの目視により確認することができる。
【００４６】
すなわち、図７・図８の場合、加圧表示部７０ｂに圧縮エアが供給されて、開閉部材Ｓが開放されていることを該加圧表示部７０ｂによって目視確認できる。一方、開閉部材Ｓが閉鎖されているときは、第２エア弁２１の給圧ポートＰが遮断されてエア供給部３０からの圧縮エアが出力ポートＡから第３管路８ａへは供給されず、従って前記加圧表示部７０ｂへも供給されないので、該加圧表示部７０ｂの圧縮エアの供給時と異なる表示となるため、これにより開閉部材Ｓが閉鎖されていることを目視確認することができる。
【００４７】
なお、本発明警報装置１において、圧縮エアが供給されているか否かを確認する手段としては、特に限定する必要はないが、好ましくは図９・図１０に示すように、圧縮エアの給送圧により、供給時と未供給時を色の変化により目視で確認することができる構成を採用することが推奨される。すなわち、本発明においては、圧縮エアの供給時と未供給時を色の変化により目視で確認する構成の例として、図９において、前記各実施形態に適用される加圧表示部であって、圧縮エアがエア圧回路に未供給状態の断面図が図示されており、また図１０において、圧縮エアがエア圧回路に供給状態の断面図が図示されている。
【００４８】
前記加圧表示部７０は、表示体８４（第１表示体８４ａ・第２表示体８４ｂ）を臨む開口部７２を有するフレーム７１と、該フレーム７１と一体化しているステータ７３および回動軸７５と、外側面に第１表示体８４ａ・第２表示体８４ｂを有するドラム８１とにより構成されている。
【００４９】
前記ドラム８１の内側面から中心方向に延出する仕切壁８２の先端は、ゼンマイ等の弾性部材７４の作用で回転変位に対し復元力が発生するように、回動軸７５に支持されている。そして、ドラム８１の内側面とステータ７３の側面と仕切壁８２とによって二つの空間Ｊ・Ｋが形成されている。このうち一方の空間Ｊは、第１管路６（第３管路８）に連通する給圧ポートＰが開口し、他方の空間Ｋは大気側に連通するポートＣが開口されている。
【００５０】
前記のように加圧表示部７０が構成されることにより、第１管路６（第３管路８）に圧縮エアが未供給の状態では、図９に示すように、弾性部材７４の復元力により開口部７２から第１表示体８４ａが臨む状態であり、圧縮エアが供給された状態では、図１０に示すように、弾性部材７４の弾性力に抗って空間Ｊが拡大すると共に空間Ｋが縮小し、ドラム８１が回動して開口部７２から第２表示体８４ｂが臨む状態となる。
【００５１】
なお、前記第１表示体８４ａと第２表示体８４ｂは、圧縮エアの供給・未供給状態を目視確認できるよう、特に限定する必要はないが、好ましくは、未供給を示す第１表示体８４ａを青色、供給状態を示す第２表示体８４ｂを赤色に着色することが推奨される。
【００５２】
本発明は前記した実施形態に限定されるものでなく、共通する技術思想の範囲内において、適宜変形して実施することができる。例えば、記載した各種弁は、弁体が一方向に移動するピストン状ものを例示したが、これに限定されるものでなく、弁体を回転方向に移動させるものや、ニードル状のものを適用することもできる。
【符号の説明】
【００５３】
１…警報装置、２…エアコンプレッサ、３…逆止弁、４…エアタンク、６…第１管路、７…第２管路、８…第３管路、９…エアホーン、１０…検知部、１１…第１エア弁、１２…当接片、１３，２２，３２，６２…弁体、１４，２３，３３，…付勢部材、２０…制御部、２１…第２エア弁、３０…エア供給部、３１…第３エア弁、５０…元圧遮断弁、５１，６１…手動レバー、６０…手動遮断弁、７０，７０ａ，７０ｂ…加圧表示部、７１…フレーム、７２…開口部、７３…ステータ、７４…弾性部材、７５…回動軸、８１…ドラム、８２…仕切壁、８４，８４ａ，８４ｂ…表示体、Ａ…出力ポート、Ｂ…入力ポート、Ｐ…給圧ポート、Ｓ…開閉部材、Ｗ…壁面、Ｆ…枠部材
【図１】
0005181010.tif 000002
【図２】
0005181010.tif 000003
【図３】
0005181010.tif 000004
【図４】
0005181010.tif 000005
【図５】
0005181010.tif 000006
【図６】
0005181010.tif 000007
【図７】
0005181010.tif 000008
【図８】
0005181010.tif 000009
【図９】
0005181010.tif 000010
【図１０】
0005181010.tif 000011